(57)【要約】      （修正有）【課題】電子機器本体の釦操作によって発する音に起因する誤動作を防止できる、電子機器を提供する。【解決手段】電子機器１０１は、マイク４０を含む。音はマイク４０によって捉えられ、キー操作はサブマイコン４６によって検出される。マイク４０およびサブマイコン４６の各々の出力に従う処理は、メインマイコン４２によって実行される。メインマイコン４２は、キー操作に応答してスピーカから効果音を出力する。ただし、効果音の出力設定は、起動状態および停止状態の間で変更される。メインマイコン４２は、音の抽出特性を効果音出力の設定状態に応じて変更する。【選択図】図１
2010146572.tif 000002
【特許請求の範囲】
【請求項１】
音を検知する第１検知手段、
キー操作を検知する第２検知手段、
前記第１検知手段の出力に対応する処理を実行する第１処理手段、
前記第２検知手段の出力に対応する処理を実行する第２処理手段、
前記キー操作に応答して効果音を出力する効果音出力手段、
前記効果音出力手段の設定状態を起動状態および停止状態の間で変更する第１変更手段、および
前記第１検知手段の検知特性を前記効果音出力手段の設定状態に応じて変更する第２変更手段を備える、電子機器。
【請求項２】
前記第１検知手段は、音を取り込む取り込み手段、および前記取り込み手段によって取り込まれた音の所定周波数成分を抽出する抽出手段を含み、前記第２変更手段は前記抽出手段の周波数特定を変更する、請求項２記載の電子機器。
【請求項３】
音を検知する第１検知手段、
キー操作を検知する第２検知手段、
前記第１検知手段の出力に対応する処理を実行する第１処理手段、
前記第２検知手段の出力に対応する処理を実行する第２処理手段、
前記キー操作に応答して効果音を出力する効果音出力手段、
前記第１処理手段の設定状態を起動状態および停止状態の間で変更する第１変更手段、および
前記効果音出力手段の出力特性を前記第１処理手段の設定状態に応じて変更する第２変更手段を備える、電子機器。
【請求項４】
前記第２変更手段は効果音の周波数特性を変更する、請求項３記載の電子機器。
【発明の詳細な説明】
【技術分野】
【０００１】
この発明は、音で制御される電子機器に関し、特にたとえば音を検出して撮影を制御する、ビデオカメラやディジタルスチルカメラに関する。
【背景技術】
【０００２】
従来この種のビデオカメラの一例が、２０００年６月６日付けで出願公開された特開２０００−１５５５９５号公報に開示されている。この従来技術は、音声信号を入力する入力手段と、入力された音声信号を認識する音声認識手段と、認識された音声信号に応じて装置の動作を制御する制御手段とを具備し、絞り，シャッター速度，動作モード等のカメラの機能を音声によって制御しようとするものである。
【特許文献１】特開２０００−１５５５９５号公報  しかし、従来技術では、人の声が入力されていないにもかかわらず、カメラ本体の釦操作によって発する機械的な音やカメラ自体が発する効果音によって、誤動作する可能性がある。従来技術では、各種機能の設定を可能にするために音声認識手段を具備しているため、この誤動作の可能性は大きくはない。しかし、音声認識手段の認識特性が不十分な場合や、音声認識の代わりに音の大きさや周波数を検出して機能設定を行う場合、この誤動作の可能性は大きくなる。
【発明の開示】
【発明が解決しようとする課題】
【０００３】
それゆえに、この発明の主たる目的は、新規な電子機器を提供することである。
【０００４】
この発明の他の目的は、電子機器本体の釦操作によって発する音に起因する誤動作を防止できる、電子機器を提供することである。
【課題を解決するための手段】
【０００５】
請求項１の電子機器は、音を検知する第１検知手段、キー操作を検知する第２検知手段、第１検知手段の出力に対応する処理を実行する第１処理手段、第２検知手段の出力に対応する処理を実行する第２処理手段、および第２検知手段の出力に基づいてキー操作から所定期間にわたって第１処理手段の処理動作を制限する制限手段を備える。
【０００６】
音は第１検知手段によって検知され、キー操作は第２検知手段によって検知される。第１検知手段の出力に従う処理は第１処理手段によって実行され、第２検知手段の出力に従う処理は第２処理手段によって実行される。制限手段は、第２検知手段の出力に基づいて、キー操作の実行から所定期間にわたって第１処理手段の処理動作を制限する。これによって、キー操作によって発生した音に基づく第１処理手段の処理動作が制限される。つまり、キー操作音に起因する誤動作が防止される。
【０００７】
請求項２の電子機器は請求項１に従属し、キー操作に応答して効果音を出力する効果音出力手段をさらに備える。
【０００８】
請求項３の電子機器は請求項１に従属し、制限手段は第１検知手段の検知特性を変更する特性変更手段を含む。
【０００９】
請求項４の電子機器は請求項３に従属し、第１検知手段は、音を取り込む取り込み手段、および取り込み手段によって取り込まれた音の所定周波数成分を抽出する抽出手段を含み、特性変更手段は抽出手段の周波数特定を変更する。  
【００１０】
請求項５の電子機器は、音を検知する第１検知手段、キー操作を検知する第２検知手段、第１検知手段の出力に対応する処理を実行する第１処理手段、第２検知手段の出力に対応する処理を実行する第２処理手段、キー操作に応答して効果音を出力する効果音出力手段、効果音出力手段の設定状態を起動状態および停止状態の間で変更する第１変更手段、および第１検知手段の検知特性を効果音出力手段の設定状態に応じて変更する第２変更手段を備える。
【００１１】
音は第１検知手段によって検知され、キー操作は第２検知手段によって検知される。第１検知手段の出力に従う処理は第１処理手段によって実行され、第２検知手段の出力に従う処理は第２処理手段によって実行される。効果音出力手段は、キー操作に応答して効果音を出力する。かかる効果音出力手段の設定状態は、第１変更手段によって起動状態および停止状態の間で変更される。第２変更手段は、第１検知手段の検知特性を効果音出力手段の設定状態に応じて変更する。これによって、効果音に起因する第１処理手段の誤動作を防止できる。
【００１２】
請求項６の電子機器は請求項５に従属し、第１検知手段は、音を取り込む取り込み手段、および取り込み手段によって取り込まれた音の所定周波数成分を抽出する抽出手段を含み、第２変更手段は前記抽出手段の周波数特定を変更する。
【００１３】
請求項７の電子機器は、音を検知する第１検知手段、キー操作を検知する第２検知手段、第１検知手段の出力に対応する処理を実行する第１処理手段、第２検知手段の出力に対応する処理を実行する第２処理手段、キー操作に応答して効果音を出力する効果音出力手段、第１処理手段の設定状態を起動状態および停止状態の間で変更する第１変更手段、および効果音出力手段の出力特性を第１処理手段の設定状態に応じて変更する第２変更手段を備える。
【００１４】
音は第１検知手段によって検知され、キー操作は第２検知手段によって検知される。第１検知手段の出力に従う処理は第１処理手段によって実行され、第２検知手段の出力に従う処理は第２処理手段によって実行される。効果音出力手段は、キー操作に応答して効果音を出力する。第１処理手段の設定状態は、第１変更手段によって起動状態および停止状態の間で変更される。第２変更手段は、効果音出力手段の出力特性を第１処理手段の設定状態に応じて変更する。効果音の出力特性を変更することによって、効果音に起因する第１処理手段の誤動作を防止できる。
【００１５】
請求項８の電子機器は請求項７に従属し、第２変更手段は効果音の周波数特性を変更する。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この実施例のディジタルスチルカメラ１０１は、フォーカスレンズ１２および絞りユニット１４を含む。被写界の光学像は、これらの部材を通してイメージセンサ１６の受光面つまり撮像面に照射される。撮像面では、光電変換によって被写界の光学像に対応する電荷つまり生画像信号が生成される。
【００１８】
スルー画像処理つまり被写界のリアルタイム動画像をＬＣＤモニタ３４に表示する処理を実行するとき、メインマイコン４２は、絞りの開放をドライバ２０に命令し、プリ露光および間引き読み出しの繰り返しをドライバ２２に命令する。ドライバ２０は、絞りユニット１４の絞り量を開放し、ドライバ２２は、イメージセンサ１６のプリ露光とこれによって生成された生画像信号の間引き読み出しとを繰り返し実行する。プリ露光および間引き読み出しは、１／３０秒毎に発生する垂直同期信号に応答して実行される。これによって、被写界の光学像に対応する低解像度の生画像信号が、３０ｆｐｓのフレームレートでイメージセンサ１６から出力される。
【００１９】
出力された各フレームの生画像信号は、ＣＤＳ／ＡＧＣ／ＡＤ回路２４によってノイズ除去，レベル調整およびＡ／Ｄ変換の一連の処理を施され、これによってディジタル信号である生画像データが得られる。信号処理回路２６は、ＣＤＳ／ＡＧＣ／ＡＤ回路２４から出力された生画像データに白バランス調整、色分離、ＹＵＶ変換などの処理を施し、ＹＵＶ形式の画像データを生成する。生成された画像データはメモリ制御回路２８によってＳＤＲＡＭ３０に書き込まれ、その後同じメモリ制御回路２８によって読み出される。ビデオエンコーダ３２は、メモリ制御回路２８によって読み出された画像データをＮＴＳＣフォーマットに従うコンポジットビデオ信号に変換し、変換されたコンポジットビデオ信号をＬＣＤモニタ３４に与える。この結果、被写界のスルー画像がモニタ画面に表示される。
【００２０】
通常撮影モードにおいて、シャッター釦５２ａが半押しされると、サブマイコン４８はイベント情報としてシャッター釦５２ａの半押しを検出し、メインマイコン４２に検出結果を伝える。メインマイコン４２は、画像記録処理の前処理としてＡＥ処理およびＡＦ処理を行う。
【００２１】
ＡＥ処理は、次の要領で実行される。信号処理回路２６によって生成された画像データのうちＹデータは、ＡＥ評価回路３６に与えられる。ＡＥ評価回路３６は、画面上に複数の測光エリアを割り当て、各々の測光エリアに属するＹデータを１フレーム期間毎に積分する。メインマイコン４２は、複数の測光エリアでそれぞれ求められた複数の輝度評価値（積分値）を垂直同期信号に応答して取り込み、ドライバ２２に設定されたプリ露光時間および絞りユニット１４の絞り量をかかる輝度評価値に基づいて調整する。
【００２２】
ＡＦ処理は、次の要領で実行される。ＡＦ評価回路３８では、信号処理回路２６によって生成されたＹデータの高域周波数成分が１フレーム期間毎に積算される。これによって、ＡＦ評価値（合焦度）が１フレームに１回の割合で求められる。そして、メインマイコン４２は、ＡＦ評価回路３８から出力されたＡＦ評価値を垂直同期信号に応答して取り込み、いわゆる山登りＡＦ方式の制御として、ＡＦ評価値が最大となるようにドライバ１８を駆動しフォーカスレンズ１２の位置を光軸方向に移動させる。この結果、フォーカスレンズ１２が合焦点に設定される。
【００２３】
シャッター釦５２ａが全押しされると、サブマイコン４６はメインマイコン４２にそのことを伝え、メインマイコン４２による画像記録処理が実行される。メインマイコン４２はまず、本露光および全画素読み出しをドライバ２２に命令する。ドライバ２２は、イメージセンサ１６の本露光とこれによって生成された生画像信号の全画素読み出しとを１回ずつ実行する。これによって、被写界の光学像に対応する高解像度の生画像信号が、３０ｆｐｓのフレームレートでイメージセンサ１６から出力される。出力された生画像信号は上述と同様の処理によってＹＵＶ形式の画像データに変換され、変換された画像データはメモリ制御回路２８によってＳＤＲＡＭ３０に書き込まれる。
【００２４】
メインマイコン４２はまた、画像圧縮命令をＪＰＥＧコーデック４４に向けて発行する。ＪＰＥＧコーデック４４は、メモリ制御回路２８を通してＳＤＲＡＭ３０から１フレームの画像データを読み出し、読み出された画像データにＪＰＥＧ圧縮を施し、そして圧縮画像データつまりＪＰＥＧデータをメモリ制御回路２８を通してＳＤＲＡＭ３０に書き込む。メインマイコン４２はさらに、メモリ制御回路２８を通してＳＤＲＡＭ３０からＪＰＥＧデータを順次読み出し、読み出されたＪＰＥＧデータを含む画像ファイルをＩ／Ｆ回路４８を通して記録媒体５０に記録する。このような画像記録処理が完了すると、上述のスルー画像処理が再開される。
【００２５】
なお、マイク４０は音を検知するセンサーであり、その出力はＡ／Ｄ変換回路４１を介してメインマイコン４２に入力される。また、音制御モード設定釦５２ｂは通常撮影モードと音によって撮影開始が制御される音制御モードとの切換えを指示する操作釦であり、操作釦群５２ｃはディジタルスチルカメラ１０に対し各種設定や操作、例えばＬＣＤモニタ３４のオン・オフの切換えや白バランス調整の特性切換えの指示を行う単数又は複数の操作釦である。
【００２６】
次に音制御モード設定釦５２ｂが操作され、ディジタルスチルカメラ１０が音制御モードに設定された場合、メインマイコン４２は、図２に示すフロー図に従う処理を実行する。なお、通常撮影モードにおける制御プログラムやフロー図に対応する制御プログラムは、フラッシュメモリ５４に記憶されている。
【００２７】
図２を参照してメインマイコン４２の動作を説明する。音制御モード設定釦５２ｂが操作され、ディジタルスチルカメラ１０１が音制御モードに設定されると、先ずシャッター釦５２ａが押され、該釦が離されたことをサブマイコン４６からの情報を基に検出する（Ｓ１、Ｓ３）。釦が離されたことを検出すると、１秒間待機した後、メインマイコン４２内の音検出機能を能動化させ、マイク４０から入力される音の検出を開始する（Ｓ５、Ｓ７）。ステップＳ５にて１秒間待機するのは、シャッター釦５２ａが押されることによって発生する音がメインマイコン４２内の音検出機能によって検出され誤動作するのを防ぐためである。なお待機時間は、シャッター釦５２ａが押されることによって発生する音による影響がなくなるまでの時間であり、シャッター釦５２ａの形状やマイク４０の取付位置等、ディジタルスチルカメラ１０の構造に応じて適宜設定されるものである。
【００２８】
ステップＳ７にてメインマイコン４２内の音検出機能を能動化させた後、シャッター釦５２ａが押されたか（Ｓ９）、マイク４０から入力される音が所定レベル以上の音であるかを検出する（Ｓ１１）。ステップＳ１１による音の検出は、人の声に限らず、笛の音や拍手の音等、マイク４０が検出可能な音であれば何でもよい 
ステップＳ９にてシャッター釦５２ａが押されたことを検出すると、メインマイコン４２内の音検出機能を不能化させ、音制御モードを終了する（Ｓ１３）。ステップＳ１１にて所定レベル以上の音が検出されない場合はステップＳ９の前段に戻るため、シャッター釦５２ａが押されたことが検出されず、且つ所定レベル以上の音が検出されない状態であればステップＳ９とＳ１１を繰り返し実行する。
【００２９】
ステップＳ１１にて所定レベル以上の音が検出されると、サブマイコン４６からイベント情報を取得し（Ｓ１５）、釦が操作されたことを示す釦入力イベントがあるか否かを検出する（Ｓ１７）。釦入力イベントがないことを検出すると、メインマイコン４２内の音検出機能を不能化させ（Ｓ１９）、撮影処理を行い（Ｓ２１）、音制御モードを終了する。すなわち、本実施例では、撮影処理が１回行われると音制御モードを終了する。なお、ステップＳ２１における撮影処理とは、通常撮影モードにおける画像記録処理の前処理と画像記録処理を合わせた処理を示す。
【００３０】
ステップＳ１７において、釦入力イベントがあることを検出した場合、該イベントがシャッター釦５２ａの操作によるものであれば、メインマイコン４２内の音検出機能を不能化させ、音制御モードを終了する（Ｓ２３、Ｓ２５）。ステップＳ２３において、釦入力イベントがシャッター釦５２ａの操作によるものでなく、他の釦の操作によるものであることが検出された場合は、サブマイコン４６からの情報を基に釦入力イベントを発生させた釦が離されたことを検出し、１秒間待機した後、ステップＳ９の前段に戻る。すなわち、ステップＳ７にてメインマイコン４２内の音検出機能を能動化させた後は、シャッター釦５２ａ以外の操作釦による操作や設定はできない。
【００３１】
なお、ステップＳ２９における待機時間は、シャッター釦５２ａを除く操作釦が使用されることによって発生する音による影響がなくなるまでの時間であり、操作釦の形状や構造、マイク４０の取付位置、ディジタルスチルカメラ１０１の構造等に応じて適宜設定されるものである。
【００３２】
本実施例では、操作釦が使用されたことを検出し、所定時間待機することによって音検出機能を所定時間不能化し、操作釦を使用することによって発する音によって生じる誤動作を回避している。
【００３３】
次に、本発明の第２の実施例について説明する。図３は第２の実施例を示す機能ブロック図であり、第１の実施例を示した図１と共通する部分は同じ符号を付し、詳細な説明は割愛する。第２の実施例では、第１の実施例に比べ、メインマイコン４２によって制御され操作音を発生させるドライバ回路５６とスピーカ５８をさらに具備している。通常撮影モードにおける動作は、第１の実施例と同じである。  
【００３４】
第２の実施例において、音制御モード設定釦５２ｂが操作され、ディジタルスチルカメラ１０２が音制御モードに設定された場合、メインマイコン４２は、図４に示すフロー図に従う処理を実行する。なお、通常撮影モードにおける制御プログラムやフロー図に対応する制御プログラムは、フラッシュメモリ５４に記憶されている。
【００３５】
図４を参照してメインマイコン４２の動作を説明する。音制御モード設定釦５２ｂが操作され、ディジタルスチルカメラ１０２が音制御モードに設定されると、先ずシャッター釦５２ａが押され、該釦が離されたことをサブマイコン４６からの情報を基に検出する（Ｓ４１、Ｓ４３）。釦が離されたことを検出すると、１秒間待機した後、メインマイコン４２内の音検出機能を能動化させ、マイク４０から入力される音の検出を開始する（Ｓ４５、Ｓ４７）。ステップＳ４５にて１秒間待機する理由は、第１の実施例の動作を示した図２のステップＳ５を実施する理由と同じである。
【００３６】
ステップＳ４７にてメインマイコン４２内の音検出機能を能動化させた後、該音検出機能の検出特性を初期化する（Ｓ４９）。検出特性の初期化によって、音検出機能は高域カット特性を有することなくマイク４０の出力を検出する。そして、サブマイコン４６からイベント情報を取得し（Ｓ５１）、釦が操作されたことを示す釦入力イベントがあるか否かを検出する（Ｓ５３）。釦入力イベントがないことを検出すると、マイク４０から入力される音が所定レベル以上の音であるかを検出する（Ｓ５５）。ステップＳ５５による音の検出は、第１の実施例の動作を示した図２のステップＳ１１と同様に、人の声に限らず、笛の音や拍手の音等、マイク４０が検出可能な音であれば何でもよい。
【００３７】
ステップＳ５５にて所定レベル以上の音が検出されると、撮影処理を行い（Ｓ５７）、ステップＳ５１の前段に戻る。ステップＳ５５にて所定レベル以上の音が検出されなければ、撮影処理は行わずステップＳ５１の前段に戻る。本実施例では、第１の実施例とは異なり、撮影処理が行われても音制御モードは終了しない。なお、ステップＳ５７における撮影処理とは、通常撮影モードにおける画像記録処理の前処理と画像記録処理を合わせた処理を示す。
【００３８】
一方、ステップＳ５３において、釦入力イベントがあることを検出した場合、該イベントがシャッター釦５２ａの操作によるものであれば、メインマイコン４２内の音検出機能を不能化させ、音制御モードを終了する（Ｓ５９、Ｓ６１）。ステップＳ５９において、釦入力イベントがシャッター釦５２ａの操作によるものでないことが検出された場合は、メインマイコン４２内の音検出機能の検出特性を変更する（Ｓ６３）。検出特性の変更によって、音検出機能はマイク４０の出力よりスピーカ５８にて発生される操作音の主成分である高域成分をカットした信号を用いて音を検出することになる。そして、ステップＳ５３において検出された釦入力イベントに応じた処理を行い（Ｓ６５）、ドライバ回路５６に操作音の発生を指示し、スピーカ５８より操作音を発生させる（Ｓ６７）。
【００３９】
そして、メインマイコン４２内のカウンタを動作させることにより時間計測を開始し（Ｓ６９）、サブマイコン４６からイベント情報を取得し（Ｓ７０）、釦が操作されたことを示す釦入力イベントがあるか否かを検出する（Ｓ７１）。釦入力イベントがないことを検出すると、マイク４０から入力され且つ高域成分がカットされた音が所定レベル以上の音であるかを検出する（Ｓ７２）。
【００４０】
ステップＳ７２にて該条件に合った音が検出されると、ステップＳ５７と同様に撮影処理を行い（Ｓ７３）、ステップＳ７０の前段に戻る。操作音発生回路５６にて発生される操作音は高域音であり、メインマイコン４２内の音検出機能が高域成分をカットした信号を用いて音を検出するように検出特性が変更されているので、スピーカ５８にて発生される操作音によって音制御機能が動作することを回避している。
【００４１】
一方、ステップＳ７２にて該条件に合った音が検出されなければ、ステップＳ６９にて開始された時間計測によって所定時間以上経過したか否かを検出し（Ｓ７５）、検出すれば音検出機能の検出特性を初期化し（Ｓ７７）、ステップＳ５１の前段に戻る。検出特性の初期化によって、音検出機能は高域カット特性を有することなくマイク４０の出力を検出する。ステップＳ７５にて時間経過が検出されなければ、ステップＳ７０の前段に戻る。
【００４２】
なお、ここでの所定期間は、ステップＳ６７にて発生する操作音の継続時間に応じて設定される。
【００４３】
第２の実施例では、操作釦が使用されたことを検出し、音検出特性を所定時間変更することによって、操作釦を使用することによって発する音によって生じる誤動作を回避している。なお、第２の実施例において操作音を発生させるステップＳ６７を省き、操作釦が押されることによって発生する機械音をカットするようにステップＳ６３にて検出特性を変更し、ステップＳ７５において検出する所定時間を、操作釦が押されることによって発生する音による影響がなくなるまでの時間とし、操作釦の形状やマイク４０の取付位置等、ディジタルスチルカメラ１０２の構造に応じて適宜設定されるものとしてもよい。
【００４４】
次に、本発明の第３の実施例について説明する。図５は第３の実施例を示す機能ブロック図であり、第２の実施例を示した図３と共通する部分は同じ符号を付し、詳細な説明は割愛する。第３の実施例では、第２の実施例に比べ、サブマイコン４６に接続され、メインマイコン４２にドライバ回路５６とスピーカ５８による操作音を発生させる操作音発生モードの設定、解除を指示する操作音設定釦５２ｄをさらに具備している。通常撮影モードにおける動作は、第１の実施例と同じである。
【００４５】
第３の実施例において、音制御モード設定釦５２ｂが操作された場合、メインマイコン４２は、図６に示すフロー図に従う処理を実行する。なお、通常撮影モードにおける制御プログラムやフロー図に対応する制御プログラムは、フラッシュメモリ５４に記憶されている。
【００４６】
図６を参照してメインマイコン４２の動作を説明する。音制御モード設定釦５２ｂが操作されると、先ず、ディジタルスチルカメラ１０３が操作音設定釦５２ｄの操作により操作音発生モードに設定されているか否かを検出し（Ｓ８１）、設定されていれば音制御モードを設定して音による制御を行うことは不可であることを、スピーカ５８による音や、ＬＣＤモニタ３４による表示にて通知し（Ｓ８３）、終了する。なお、ディジタルスチルカメラ１０３が操作音発生モードに設定されている状態であれば、シャッター釦５２ａや操作釦群５２ｃが操作されるとメインマイコン４２はドライバ回路５６とスピーカ５８を用いて操作音を発生させる。設定されていなければドライバ回路５６とスピーカ５８による操作音は発生しない。
【００４７】
ステップＳ８１において、操作音発生モードに設定されていないことを検出した場合、音制御モードに設定し（Ｓ８４）、シャッター釦５２ａが押され、該釦が離されたことをサブマイコン４６からの情報を基に検出する（Ｓ８５、Ｓ８７）。釦が離されたことを検出すると、１秒間待機した後、メインマイコン４２内の音検出機能を能動化させ、マイク４０から入力される音の検出を開始する（Ｓ８９、Ｓ９１）。ステップＳ８９にて１秒間待機する理由は、第１の実施例の動作を示した図２のステップＳ５を実施する理由と同じである。
【００４８】
そして、サブマイコン４６からイベント情報を取得し（Ｓ９３）、釦が操作されたことを示す釦入力イベントがあるか否かを検出する（Ｓ９５）。釦入力イベントがないことを検出すると、マイク４０から入力される音が所定レベル以上の音であるかを検出する（Ｓ５５）。ステップＳ９７による音の検出は、第１の実施例の動作を示した図２のステップＳ１１と同様に、人の声に限らず、笛の音や拍手の音等、マイク４０が検出可能な音であれば何でもよい。
【００４９】
ステップＳ９７にて所定レベル以上の音が検出されると、撮影処理を行い（Ｓ９９）、ステップＳ９３の前段に戻る。ステップＳ９７にて所定レベル以上の音が検出されなければ、撮影処理は行わずステップＳ９３の前段に戻る。本実施例では、第２の実施例と同様に、撮影処理が行われても音制御モードは終了しない。なお、ステップＳ９９における撮影処理とは、通常撮影モードにおける画像記録処理の前処理と画像記録処理を合わせた処理を示す。
【００５０】
一方、ステップＳ９５において、釦入力イベントがあることを検出した場合、該イベントがシャッター釦５２ａの操作によるものであれば、メインマイコン４２内の音検出機能を不能化させ、音制御モードを終了する（Ｓ１０１、Ｓ１０３）。ステップＳ１０１において、釦入力イベントがシャッター釦５２ａの操作によるものでないことが検出された場合は、ステップＳ９５において検出された釦入力イベントに応じた処理を行い（Ｓ１０５）、ステップＳ９３の前段に戻る。
【００５１】
第３の実施例では、操作音発生モードが設定されていることを検出した場合、音検出機能の使用を禁止することにより、操作釦を使用することによって発する操作音によって生じる誤動作を回避している。
【００５２】
次に、本発明の第４の実施例について説明する。第４の実施例を示す機能ブロック図は、第３の実施例を示す機能ブロック図を示す図５と同じであり、詳細な説明は割愛する。通常撮影モードにおける動作は、第１の実施例と同じである。
【００５３】
第４の実施例において、音制御モード設定釦５２ｂが操作され、ディジタルスチルカメラ１０３が音制御モードに設定された場合、メインマイコン４２は、図７に示すフロー図に従う処理を実行する。なお、通常撮影モードにおける制御プログラムやフロー図に対応する制御プログラムは、フラッシュメモリ５４に記憶されている。
【００５４】
図７を参照してメインマイコン４２の動作を説明する。音制御モード設定釦５２ｂが操作され、ディジタルスチルカメラ１０３が音制御モードに設定されると、先ずシャッター釦５２ａが押され、該釦が離されたことをサブマイコン４６からの情報を基に検出する（Ｓ１１１、Ｓ１１３）。釦が離されたことを検出すると、１秒間待機した後、メインマイコン４２内の音検出機能を能動化させ、マイク４０から入力される音の検出を開始する（Ｓ１１５、Ｓ１１７）。ステップＳ１１５にて１秒間待機する理由は、第１の実施例の動作を示した図２のステップＳ５を実施する理由と同じである。
【００５５】
ステップＳ１１７にてメインマイコン４２内の音検出機能を能動化させた後、ドライバ回路５６とスピーカ５８による操作音を発生させない操作音オフモードに設定し（Ｓ１１９）、音検出機能に対し検出特性Ａを設定する（Ｓ１２１）。検出特性Ａとは、人の声を主に通過する周波数特性であり、検出特性Ａを設定することにより、メインマイコン４２内の音検出機能は、主に人の声を検出するように動作する。
【００５６】
そして、サブマイコン４６からイベント情報を取得し（Ｓ１２３）、釦が操作されたことを示す釦入力イベントがあるか否かを検出する（Ｓ１２５）。釦入力イベントがないことを検出すると、マイク４０から入力される音が検出特性Ａを満足し且つ所定レベル以上の音であるかを検出する（Ｓ１２７）。ステップＳ１２７による音の検出は、検出特性Ａにより人の声を主としているが、それに限らず、笛の音や拍手の音等、マイク４０が検出可能な人の声以外の音も若干検出される。
【００５７】
ステップＳ１２７にて検出特性Ａを満足し且つ所定レベル以上の音が検出されると、撮影処理を行い（Ｓ１２９）、ステップＳ１２３の前段に戻る。ステップＳ１２７にて該条件に合った音が検出されなければ、撮影処理は行わずステップＳ１２３の前段に戻る。本実施例では、第１の実施例とは異なり、撮影処理が行われても音制御モードは終了しない。なお、ステップＳ１２９における撮影処理とは、通常撮影モードにおける画像記録処理の前処理と画像記録処理を合わせた処理を示す。
【００５８】
ステップＳ１２５において、釦入力イベントがあることを検出した場合、該イベントが操作音設定釦５２ｄの操作によるものであれば、操作音発生モードが設定されているか否かを検出する（Ｓ１３１、Ｓ１３３）。操作音発生モードが設定されていなければ、メインマイコン４２内の音検出機能に対し検出特性Ｂを設定し（Ｓ１３５）、操作音発生モードに設定し（Ｓ１３７）、ステップＳ１２３の前段に戻る。ステップＳ１３３にて操作音発生モードが設定されていることが検出されれば操作音を発生させ（Ｓ１３９）、メインマイコン４２内の音検出機能に対し検出特性Ａを設定し（Ｓ１４１）、操作音オフモードに設定し（Ｓ１４３）、ステップＳ１２３の前段に戻る。
【００５９】
検出特性Ｂとは、スピーカ５８にて発生される操作音の主成分である高域成分をカットする周波数特性であり、検出特性Ｂを設定することにより、メインマイコン４２内の音検出機能は、スピーカ５８にて発生される操作音を検出しないように動作する。
【００６０】
一方、ステップＳ１２５において、釦入力イベントがあることを検出し、該イベントが操作音設定釦５２ｄの操作によるものでなく、シャッター釦５２ａの操作によるものであれば、メインマイコン４２内の音検出機能を不能化させ、音制御モードを終了する（Ｓ１３１、Ｓ１４５、Ｓ１４７）。
【００６１】
ステップＳ１４５において、釦入力イベントがシャッター釦５２ａの操作によるものでないことが検出された場合は、操作音発生モードが設定されていれば操作音を発生させ（Ｓ１４９、Ｓ１５１）、設定されていなければ操作音を発生させずにステップＳ１２５において検出された釦入力イベントに応じた処理を行い（Ｓ１５３）、ステップＳ１２３の前段に戻る。
【００６２】
第４の実施例では、音制御モードを設定した際に操作音発生モードを強制的に解除したり、操作音発生モードの設定に応じて音検出特性を変更することによって、操作釦を使用することによって発する音によって生じる誤動作を回避している。なお、検出特性の変更は周波数特性の変更だけでなく、操作音発生モードの設定に応じて検出するレベルを高くしたり、該設定に応じて音声の認識特性を厳しくすることにより、操作釦を使用することによって発する音によって生じる誤動作を回避してもよい。
【００６３】
次に、本発明の第５の実施例について説明する。第５の実施例を示す機能ブロック図は、第２の実施例を示す機能ブロック図を示す図３と同じであり、詳細な説明は割愛する。通常撮影モードにおける動作は、第１の実施例と同じである。
【００６４】
第５の実施例において、音制御モード設定釦５２ｂが操作され、ディジタルスチルカメラ１０３が音制御モードに設定された場合、メインマイコン４２は、図８に示すフロー図に従う処理を実行する。なお、通常撮影モードにおける制御プログラムやフロー図に対応する制御プログラムは、フラッシュメモリ５４に記憶されている。
【００６５】
図８を参照してメインマイコン４２の動作を説明する。音制御モード設定釦５２ｂが操作され、ディジタルスチルカメラ１０２が音制御モードに設定されると、サブマイコン４６からイベント情報を取得し（Ｓ１６１）、釦が操作されたことを示す釦入力イベントがあるか否かを検出する（Ｓ１６３）。釦入力イベントがあることを検出した場合、該イベントがシャッター釦５２ａの操作によるものでなければ操作音Ａを発生させ（Ｓ１６７）、ステップＳ１６３において検出された釦入力イベントに応じた処理を行い（Ｓ１６９）、ステップＳ１６１の前段に戻る。Ｓ１６３にて釦入力イベントがあることを検出しなかった場合もステップＳ１６１の前段に戻る。操作音Ａとは可聴域の周波数を有する音であれば何でもよく、音声合成による音声ガイドであってもよい。
【００６６】
一方、Ｓ１６３にて釦入力イベントがあることを検出し、該イベントがシャッター釦５２ａの操作によるものであれば、該釦が離されたことをサブマイコン４６からの情報を基に検出し（Ｓ１７１）。釦が離されたことを検出すると、１秒間待機した後、メインマイコン４２内の音検出機能を能動化させ、マイク４０から入力される音の検出を開始する（Ｓ１７３、Ｓ１７５）。ステップＳ１７３にて１秒間待機する理由は、第１の実施例の動作を示した図２のステップＳ５を実施する理由と同じである。
【００６７】
そして、サブマイコン４６からイベント情報を取得し（Ｓ１７７）、釦が操作されたことを示す釦入力イベントがあるか否かを検出する（Ｓ１７９）。釦入力イベントがないことを検出すると、マイク４０から入力される音が高域成分をカットした後に所定レベル以上あるかを検出する（Ｓ１８１）。
【００６８】
ステップＳ１８１にて該条件に合った音が検出されると、撮影処理を行い（Ｓ１８３）、ステップＳ１７７の前段に戻る。ステップＳ１８１にて条件に合った音が検出されなければ、撮影処理は行わずステップＳ１７７の前段に戻る。本実施例では、第２の実施例と同様に、撮影処理が行われても音制御モードは終了しない。なお、ステップＳ１８３における撮影処理とは、通常撮影モードにおける画像記録処理の前処理と画像記録処理を合わせた処理を示す。
【００６９】
一方、ステップＳ１７９において、釦入力イベントがあることを検出した場合、該イベントがシャッター釦５２ａの操作によるものであれば、メインマイコン４２内の音検出機能を不能化させ、音制御モードを終了する（Ｓ１８５、Ｓ１８７）。ステップＳ１８５において、釦入力イベントがシャッター釦５２ａの操作によるものでないことが検出された場合は、高域成分のみで構成された操作音Ｂを発生させ（Ｓ１８９）、ステップＳ１７９において検出された釦入力イベントに応じた処理を行い（Ｓ１９１）、ステップＳ１７７の前段に戻る。操作音Ｂは高域成分のみで構成されているため、ステップＳ１８１の検出条件から除外される。よって操作音Ｂによって音制御機能は動作しない。
【００７０】
第５の実施例では、音制御モードに設定された状態では操作音を変更することによって、操作釦を使用することによって発する音によって生じる誤動作を回避している。
【００７１】
以上、第１ないし第５の実施例について説明したが、音制御モード設定釦５２ｂを操作するだけでシャッター釦５２ａを操作することなくメインマイコン４２内の音検出機能を能動化させてもよい。また、音制御モード設定釦５２ｂを操作した後に音検出機能を能動化させるのに必要な釦はシャッター釦５２ａに限定されない。また、音による制御は撮影動作の開始のみには限定されず、音声認識手段を用いることにより、複数の音声に応じた複数の動作制御を行うようにしてもよい。さらに、本発明はディジタルスチルカメラに限らず、音で制御される電子機器であれば実施可能である。
【００７２】
この発明が詳細に説明され図示されたが、それは単なる図解および一例として用いたものであり、限定であると解されるべきではないことは明らかであり、この発明の精神および範囲は添付されたクレームの文言によってのみ限定される。
【図面の簡単な説明】
【００７３】
【図１】図１は本発明の第１の実施例を示す機能ブロック図であり；
【図２】図２は本発明の第１の実施例の動作の一部を示すフロー図であり；
【図３】図３は本発明の第２及び第５の実施例を示す機能ブロック図であり；
【図４】図４は本発明の第２の実施例の動作の一部を示すフロー図であり；
【図５】図５は本発明の第３及び第４の実施例を示す機能ブロック図であり；
【図６】図６は本発明の第３の実施例の動作の一部を示すフロー図であり；
【図７】図７は本発明の第４の実施例の動作の一部を示すフロー図であり；そして
【図８】図８は本発明の第５の実施例の動作の一部を示すフロー図である。
【符号の説明】
【００７４】
１０１    ディジタルスチルカメラ
１０２    ディジタルスチルカメラ
１０３    ディジタルスチルカメラ
１６    イメージセンサ
３４    ＬＣＤモニタ
４０    マイク
４２    メインマイコン
４６    サブマイコン
５２ａ  シャッター釦
５２ｂ  音制御モード設定釦
５２ｃ  操作釦群
５２ｄ  操作音設定釦
５４    フラッシュメモリ
５６    ドライバ回路
５８    スピーカ
【図１】
2010146572.tif 000003
【図２】
2010146572.tif 000004
【図３】
2010146572.tif 000005
【図４】
2010146572.tif 000006
【図５】
2010146572.tif 000007
【図６】
2010146572.tif 000008
【図７】
2010146572.tif 000009
【図８】
2010146572.tif 000010
【手続補正書】
【提出日】平成22年1月12日(2010.1.12)
【手続補正１】
【補正対象書類名】特許請求の範囲
【補正対象項目名】請求項２
【補正方法】変更
【補正の内容】
【請求項２】
前記第１検知手段は、音を取り込む取り込み手段、および前記取り込み手段によって取り込まれた音の所定周波数成分を抽出する抽出手段を含み、前記第２変更手段は前記抽出手段の周波数特定を変更する、請求項１記載の電子機器。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項１の電子機器は、音を検知する第１検知手段、キー操作を検知する第２検知手段、第１検知手段の出力に対応する処理を実行する第１処理手段、第２検知手段の出力に対応する処理を実行する第２処理手段、キー操作に応答して効果音を出力する効果音出力手段、効果音出力手段の設定状態を起動状態および停止状態の間で変更する第１変更手段、および第１検知手段の検知特性を効果音出力手段の設定状態に応じて変更する第２変更手段を備える。
【手続補正８】
【補正対象書類名】明細書
【補正対象項目名】００１２
【補正方法】変更
【補正の内容】
【００１２】
請求項２の電子機器は請求項１に従属し、第１検知手段は、音を取り込む取り込み手段、および取り込み手段によって取り込まれた音の所定周波数成分を抽出する抽出手段を含み、第２変更手段は前記抽出手段の周波数特定を変更する。
【手続補正９】
【補正対象書類名】明細書
【補正対象項目名】００１３
【補正方法】変更
【補正の内容】
【００１３】
請求項３の電子機器は、音を検知する第１検知手段、キー操作を検知する第２検知手段、第１検知手段の出力に対応する処理を実行する第１処理手段、第２検知手段の出力に対応する処理を実行する第２処理手段、キー操作に応答して効果音を出力する効果音出力手段、第１処理手段の設定状態を起動状態および停止状態の間で変更する第１変更手段、および効果音出力手段の出力特性を第１処理手段の設定状態に応じて変更する第２変更手段を備える。
【手続補正１０】
【補正対象書類名】明細書
【補正対象項目名】００１５
【補正方法】変更
【補正の内容】
【００１５】
請求項４の電子機器は請求項３に従属し、第２変更手段は効果音の周波数特性を変更する。